(57)【要約】画像を表示中に、当該画像が表示されている表示領域内の所定領域に、当該画像とは別の注目動画像を表示させ、ユーザーの指示に応じて、当該注目動画像から複数のフレーム画像を抽出してなる画像列を、当該表示領域内に並べて表示させる情報処理装置であって、当該画像列を、当該表示領域内における当該所定領域に応じて決まる位置に表示させる情報処理装置である。
2020095906.tif 000002
【特許請求の範囲】
【請求項１】
画像を表示中に、当該画像が表示されている表示領域内の所定領域に、当該画像とは別の注目動画像を表示させる動画像表示制御部と、
ユーザーの指示に応じて、前記注目動画像から複数のフレーム画像を抽出してなる画像列を、前記表示領域内に並べて表示させる画像列表示制御部と、
を含み、
前記画像列表示制御部は、前記画像列を、前記表示領域内における前記所定領域に応じて決まる位置に表示させる
ことを特徴とする情報処理装置。
【請求項２】
請求項１に記載の情報処理装置において、
前記画像列表示制御部は、前記画像列を、前記所定領域と重なる領域内に表示させる
ことを特徴とする情報処理装置。
【請求項３】
請求項１に記載の情報処理装置において、
前記画像列表示制御部は、前記画像列を、前記所定領域に隣接する領域内に表示させる
ことを特徴とする情報処理装置。
【請求項４】
請求項３に記載の情報処理装置において、
前記画像列表示制御部は、前記画像列を、前記所定領域から見て前記表示領域の外周側に隣接する領域内に表示させる
ことを特徴とする情報処理装置。
【請求項５】
請求項１から４のいずれか一項に記載の情報処理装置において、
前記動画像表示制御部は、互いに異なる複数の注目動画像のそれぞれを、前記表示領域内の互いに離れた所定領域に同時期に表示させ、
前記画像列表示制御部は、前記複数の注目動画像のそれぞれに対応する画像列を、当該注目動画像が表示される所定領域に応じて決まる位置に表示させる
ことを特徴とする情報処理装置。
【請求項６】
請求項１から５のいずれか一項に記載の情報処理装置において、
前記画像列表示制御部は、一つの注目動画像から複数のフレーム画像を抽出して得られる２種の画像列を、前記所定領域に応じて決まる位置に並べて表示させる
ことを特徴とする情報処理装置。
【請求項７】
画像を表示中に、当該画像が表示されている表示領域内の所定領域に、当該画像とは別の注目動画像を表示させる動画像表示ステップと、
ユーザーの指示に応じて、前記注目動画像から複数のフレーム画像を抽出してなる画像列を、前記表示領域内に並べて表示させる画像列表示ステップと、
を含み、
前記画像列表示ステップでは、前記画像列を、前記表示領域内における前記所定領域に応じて決まる位置に表示させる
ことを特徴とする情報処理方法。
【請求項８】
画像を表示中に、当該画像が表示されている表示領域内の所定領域に、当該画像とは別の注目動画像を表示させる動画像表示ステップと、
ユーザーの指示に応じて、前記注目動画像から複数のフレーム画像を抽出してなる画像列を、前記表示領域内に並べて表示させる画像列表示ステップと、
をコンピュータに実行させるためのプログラムであって、
前記画像列表示ステップでは、前記画像列を、前記表示領域内における前記所定領域に応じて決まる位置に表示させる
プログラム。
【発明の詳細な説明】
【技術分野】
【０００１】
本発明は、動画像を他の画像に重ねて表示させる情報処理装置、情報処理方法、及びプログラムに関する。
【背景技術】
【０００２】
画面内に何らかの画像（以下、全体画像という）を表示させてその画像を閲覧しながら、同時に別の動画像も閲覧したい場合がある。限られた表示領域を用いてこのような同時閲覧を可能にするため、別の動画像を、全体画像が表示されている領域の一部を占める小さな領域内に表示させる情報処理装置がある。このような情報処理装置によれば、全体画像の一部は動画像によって隠れてしまうものの、全体画像を広い範囲に表示させながら同時に動画像を表示させることができる。
【発明の概要】
【発明が解決しようとする課題】
【０００３】
上記従来例の技術において、ユーザーは再生中の動画像の別の箇所を再生させることを希望する場合がある。このような場合のユーザーインタフェースについては、まだ十分に検討されていない。【０００４】
本発明は上記実情を考慮してなされたものであって、その目的の一つは、動画像を他の画像に重ねて表示させる場合において、動画像の再生位置をユーザーが変更する際の好適なインタフェースを提供することのできる情報処理装置、情報処理方法、及びプログラムを提供することにある。
【課題を解決するための手段】
【０００５】
本発明に係る情報処理装置は、画像を表示中に、当該画像が表示されている表示領域内の所定領域に、当該画像とは別の注目動画像を表示させる動画像表示制御部と、ユーザーの指示に応じて、前記注目動画像から複数のフレーム画像を抽出してなる画像列を、前記表示領域内に並べて表示させる画像列表示制御部と、を含み、前記画像列表示制御部は、前記画像列を、前記表示領域内における前記所定領域に応じて決まる位置に表示させることを特徴とする。【０００６】
本発明に係る情報処理方法は、画像を表示中に、当該画像が表示されている表示領域内の所定領域に、当該画像とは別の注目動画像を表示させる動画像表示ステップと、ユーザーの指示に応じて、前記注目動画像から複数のフレーム画像を抽出してなる画像列を、前記表示領域内に並べて表示させる画像列表示ステップと、を含み、前記画像列表示ステップでは、前記画像列を、前記表示領域内における前記所定領域に応じて決まる位置に表示させることを特徴とする。【０００７】
本発明に係るプログラムは、画像を表示中に、当該画像が表示されている表示領域内の所定領域に、当該画像とは別の注目動画像を表示させる動画像表示ステップと、ユーザーの指示に応じて、前記注目動画像から複数のフレーム画像を抽出してなる画像列を、前記表示領域内に並べて表示させる画像列表示ステップと、をコンピュータに実行させるためのプログラムであって、前記画像列表示ステップでは、前記画像列を、前記表示領域内における前記所定領域に応じて決まる位置に表示させるプログラムである。このプログラムは、コンピュータ読み取り可能で非一時的な情報記憶媒体に格納されて提供されてよい。
【図面の簡単な説明】
【０００８】
【図１】本発明の実施の形態に係る情報処理装置の構成を示す構成ブロック図である。
【図２】本発明の実施の形態に係る情報処理装置の機能を示す機能ブロック図である。
【図３】注目動画像の表示例を示す図である。
【図４】複数の注目動画像の表示例を示す図である。
【図５】副表示領域に隣接する領域内にサムネイル画像列を表示する例を示す図である。
【図６】副表示領域に隣接する領域内にサムネイル画像列を表示する別の例を示す図である。
【図７】副表示領域と重なる領域内にサムネイル画像列を表示する例を示す図である。
【図８】一つの注目動画像に対して複数のサムネイル画像列を表示する例を示す図である。
【図９】副表示領域と重なる領域内にサムネイル画像列を表示する別の例を示す図である。
【発明を実施するための形態】
【０００９】
以下、本発明の実施形態について、図面に基づき詳細に説明する。
【００１０】
図１は、本発明の一実施形態に係る情報処理装置１の構成を示す構成ブロック図である。情報処理装置１は、例えば携帯型ゲーム機や家庭用ゲーム機、パーソナルコンピュータ、スマートフォン、ビデオプレーヤー等であって、同図に示されるように、制御部１１と、記憶部１２と、インタフェース部１３と、を含んで構成されている。また、情報処理装置１は表示装置１４及び操作デバイス１５と接続されている。
【００１１】
制御部１１は、ＣＰＵ等のプロセッサを少なくとも一つ含み、記憶部１２に記憶されているプログラムを実行して各種の情報処理を実行する。なお、本実施形態において制御部１１が実行する処理の具体例については、後述する。記憶部１２は、ＲＡＭ等のメモリデバイスを少なくとも一つ含み、制御部１１が実行するプログラム、及び当該プログラムによって処理されるデータを格納する。
【００１２】
インタフェース部１３は、表示装置１４、及び操作デバイス１５との間のデータ通信のためのインタフェースである。情報処理装置１は、インタフェース部１３を介して有線又は無線のいずれかで表示装置１４、及び操作デバイス１５のそれぞれと接続される。具体的にインタフェース部１３は、情報処理装置１が供給する映像データを表示装置１４に送信するために、ＨＤＭＩ（登録商標）（High-Definition Multimedia Interface）等のマルチメディアインタフェースを含むこととする。また、操作デバイス１５に対してユーザーが行った操作内容を示す信号を受信するために、ＵＳＢ（Universal Serial Bus）等のデータ通信インタフェースを含んでいる。
【００１３】
表示装置１４は、液晶ディスプレイや有機ＥＬディスプレイ等であって、情報処理装置１から供給される映像信号に応じた画像を画面上に表示する。操作デバイス１５は、例えばキーボードやマウス、家庭用ゲーム機のコントローラなどであって、ユーザーからの操作入力を受け付ける。なお、表示装置１４、及び操作デバイス１５は、いずれも情報処理装置１の筐体内に内蔵されてもよいし、情報処理装置１と有線又は無線により接続される別個の装置であってもよい。操作デバイス１５は、情報処理装置１の筐体表面に配置された押しボタンやタッチパネルであってもよい。以下では具体例として、操作デバイス１５は家庭用ゲーム機向けのコントローラであり、操作デバイス１５の筐体表面には、ユーザーの指が接触した位置の情報を出力するタッチパッド１５ａと、各種の操作入力を行うためのボタン１５ｂと、が配置されているものとする。なお、タッチパッド１５ａは、その全体に対する押し込み操作を受付可能であってもよい。
【００１４】
以下、情報処理装置１が実現する機能について、図２を用いて説明する。図２に示すように、情報処理装置１は、機能的に、全体画像表示制御部２１と、動画像表示制御部２２と、画像列表示制御部２３と、を含んで構成されている。これらの機能は、制御部１１が記憶部１２に記憶されたプログラムに従って動作することにより実現される。このプログラムは、インターネット等の通信ネットワークを介して情報処理装置１に提供されてもよいし、光ディスク等のコンピュータ読み取り可能な情報記憶媒体に格納されて提供されてもよい。
【００１５】
全体画像表示制御部２１は、表示装置１４の画面内に全体画像を表示させる制御を行う。ここで全体画像は、例えばユーザーがプレイ中のゲーム画像であってもよいし、後述する注目動画像とは別の動画像であってもよい。また、その他の種類の画像であってもよい。全体画像がゲーム画像の場合、全体画像表示制御部２１はゲームプログラムによって実現されることになる。また、全体画像が映画等の動画像である場合、全体画像表示制御部２１はビデオプレーヤープログラム等によって実現されてよい。全体画像が表示される画面内の領域を、以下では主表示領域Ｍという。主表示領域Ｍは、表示装置１４が表示可能な画面内の領域全体であってもよいし、その一部の領域であってもよい。
【００１６】
動画像表示制御部２２は、全体画像が主表示領域Ｍに表示されている状態において、注目動画像を全体画像と重なる位置に表示させ、再生する制御を行う。以下では、注目動画像が表示される領域を、副表示領域Ｓと表記する。副表示領域Ｓは、主表示領域Ｍよりも小さな矩形の領域であって、その全体が主表示領域Ｍ内に含まれている。動画像表示制御部２２は、この副表示領域Ｓ内に全体が収まるようなサイズで注目動画像を表示する。ここで、副表示領域Ｓと重なる部分の全体画像は、注目動画像に隠れて表示されないことになる。そのため、副表示領域Ｓの大きさは、主表示領域Ｍと比較して十分小さいことが望ましい。少なくとも副表示領域Ｓの各辺は、対応する主表示領域Ｍの各辺の半分以下であるものとする。
【００１７】
注目動画像は、光ディスクやハードディスクドライブ等の外部記憶媒体から読み出されて再生される動画像であってもよいし、インターネット等の通信ネットワークを介して配信される動画像であってもよい。また、電波等を介して配信される放送番組などであってもよい。動画像表示制御部２２が主表示領域Ｍと重なる位置に副表示領域Ｓを配置し、その内部で注目動画像を再生することにより、ユーザーは、大きなサイズで表示される全体画像を閲覧しながら、同時に注目動画像も閲覧することができる。
【００１８】
注目動画像は、全体画像として表示されている内容に関連する関連動画像であってもよい。例えば全体画像として何らかの動画像が主表示領域Ｍに表示され、再生されている場合、注目動画像は、全体画像として再生中の動画像に関連する動画像であってよい。具体的に動画像表示制御部２２は、ユーザーが指示したタイミングや、主表示領域Ｍ内で現在再生中の動画像の再生終了が近づいたタイミングなどで、現在再生中の動画像に関連する関連動画像を、注目動画像として副表示領域Ｓに表示する。ここで関連動画像は、例えば各動画像のタイトルの類似度や、各動画像に設定されたタグ情報などによって候補動画像の中から選出されてよい。候補動画像は、情報処理装置１に接続された外部記憶媒体に格納されている動画像であってもよいし、インターネット等の通信ネットワークを介して公開されている動画像であってもよい。また、全体画像表示制御部２１がゲームプログラムを実行し、全体画像としてゲーム画面が表示されている場合、動画像表示制御部２２は、当該ゲームに関連する動画像として公開されている候補動画像の中から、関連動画像を選出してもよい。
【００１９】
図３は、副表示領域Ｓの配置例を示している。この図の例では、主表示領域Ｍの右下寄りの位置に副表示領域Ｓが配置されており、その内部で注目動画像が再生される。主表示領域Ｍ内における副表示領域Ｓの位置は、予め定められた位置であってもよいが、ユーザーによって指定された位置であってもよい。この場合、ユーザーは、主表示領域Ｍに表示されている全体画像の内容などに応じて、全体画像の閲覧の邪魔になりにくく、自身が見やすい位置に副表示領域Ｓを配置することができる。ユーザーは、操作デバイス１５に設けられた方向指示キーを操作するなどして、注目動画像の表示中にその表示位置を変化させることとしてもよい。また、注目動画像の表示を開始する前に、予め副表示領域Ｓの位置を指定してもよい。
【００２０】
動画像表示制御部２２は、同時期に複数の注目動画像を主表示領域Ｍ内に表示させてもよい。図４は、この場合の副表示領域Ｓの配置例を示す図である。この図の例では、主表示領域Ｍ全体に全体画像が表示されており、主表示領域Ｍの右上寄りの位置に副表示領域Ｓ１が、右下寄りの位置に副表示領域Ｓ２が、それぞれ配置されている。そして、副表示領域Ｓ１内では注目動画像１が、副表示領域Ｓ２内では注目動画像１とは別の注目動画像２が、それぞれ再生される。これによりユーザーは、全体画像を閲覧しながら、同時に注目動画像１及び２が再生される様子を閲覧できる。なお、主表示領域Ｍ内には３個以上の副表示領域Ｓが配置され、３個以上の注目動画像が同時期に表示されてもよい。特に前述したように主表示領域Ｍに表示中の内容に関連する関連動画像を注目動画像とする場合、動画像表示制御部２２は、このような関連動画像を複数選出し、同時期に表示してもよい。
【００２１】
画像列表示制御部２３は、注目動画像から抽出した複数のフレーム画像を含んで構成される画像列を、主表示領域Ｍ内に表示させる制御を行う。例えば画像列表示制御部２３は、注目動画像を再生する際に所定の時間間隔などで順に表示される複数のフレーム画像を抽出し、表示用サイズのサムネイル画像に変換する。そして、ユーザーの指示に応じて、このようにして抽出されたサムネイル画像からなる画像列（以下、サムネイル画像列という）を、主表示領域Ｍ内に並べて表示する。このとき各サムネイル画像の表示サイズは、注目動画像の表示サイズと略同サイズか、これより小さなサイズであってよい。このようなサムネイル画像列を表示することにより、ユーザーは注目動画像の内容を時系列に沿って概観することができる。以下では、サムネイル画像列が表示される主表示領域Ｍ内の領域を、サムネイル表示領域Ｔと表記する。
【００２２】
本実施形態において画像列表示制御部２３は、ユーザーが操作デバイス１５に対して入力した指示に応じて、サムネイル画像列を表示するものとする。サムネイル画像列は、注目動画像が副表示領域Ｓ内で再生されている間に表示されてもよいし、注目動画像の再生が停止している状態で表示されてもよい。なお、注目動画像の再生中にサムネイル画像列の表示が指示された場合、注目動画像の再生は中断されるものとする。注目動画像の再生が中断された状態においてサムネイル画像列を表示する場合、画像列表示制御部２３は、中断された時点の再生位置を中心として、その前後に表示されるフレーム画像が並んだサムネイル画像列を表示する。これによりユーザーは、サムネイル画像列を閲覧することで、これまでに再生された注目動画像の内容や、これから再生される注目動画像の内容を確認できる。また、注目動画像の再生が開始していない状態でサムネイル画像列を表示する場合、画像列表示制御部２３は、注目動画像の先頭から順に抽出されたフレーム画像が並んだサムネイル画像列を表示するものとする。
【００２３】
本実施形態において画像列表示制御部２３は、主表示領域Ｍ内におけるサムネイル表示領域Ｔの位置を、副表示領域Ｓの位置に応じて決定する。注目動画像と同様に、サムネイル画像列についても、主表示領域Ｍ内の固定された位置に表示すると、全体画像を閲覧しにくくなってしまう場合がある。そこで画像列表示制御部２３は、副表示領域Ｓの位置に応じてサムネイル画像列の表示位置を決定することで、ユーザーが把握しやすく、かつ全体画像の閲覧を邪魔しにくい態様でサムネイル画像列を表示することができる。
【００２４】
以下、サムネイル画像列の表示制御の具体例について、説明する。
【００２５】
第１の例として、副表示領域Ｓに隣接するサムネイル表示領域Ｔにサムネイル画像列を表示する例について、説明する。図５はこの場合の表示例であって、図３で例示した副表示領域Ｓに注目動画像が表示されている状態でサムネイル画像列の表示が指示された場合の表示例を示している。この図の例では、サムネイル画像列は横方向に並んで配置された複数のサムネイル画像によって構成されている。そして、この例におけるサムネイル表示領域Ｔは、主表示領域Ｍ内の右下寄りに配置された副表示領域Ｓに対して、その下方に隣接するように配置されている。すなわち、サムネイル画像列は、副表示領域Ｓよりさらに主表示領域Ｍの外周寄りの位置に隣接して配置される。このように、副表示領域Ｓよりも主表示領域Ｍの外周に近い位置にサムネイル画像列を配置することにより、全体画像の中央近傍をサムネイル画像列が隠さないようにすることができる。なお、ここではサムネイル画像列を構成する各フレーム画像を横方向に並べて配置することとしたが、縦方向に並べて配置してもよい。その場合も、主表示領域Ｍの外周に近い位置にサムネイル画像列を配置することにより、サムネイル画像列の表示が全体画像の閲覧を妨げにくくすることができる。
【００２６】
なお、サムネイル画像が配列される方向（図５では横方向）に沿ったサムネイル表示領域Ｔの幅は、予め定められた大きさであってもよいし、主表示領域Ｍ全体の幅に一致する幅であってもよい。少なくともサムネイル表示領域Ｔは、副表示領域Ｓの同じ方向の幅を超える幅である必要がある。また、サムネイル表示領域Ｔの横方向の位置は、少なくとも副表示領域Ｓと重なるような位置であるものとする。
【００２７】
注目動画像の再生が中断された状態でサムネイル画像列の表示が開始された場合、中断された再生位置に対応するサムネイル画像が、サムネイル表示領域Ｔ内の所定の基準位置に配置される。この基準位置は、サムネイル画像が配列される方向の中心位置であってよい。また、副表示領域Ｓに隣接する位置であってもよい。図５の例では、基準位置に表示されるサムネイル画像に対して、その周囲を囲む枠線画像Ｆが表示されている。このように、基準位置のサムネイル画像は、他のサムネイル画像と識別可能な態様で表示される。基準位置をサムネイル表示領域Ｔの中心位置とすると、基準位置のサムネイル画像よりも過去の時点に対応するサムネイル画像、及び未来の時点に対応するサムネイル画像を同じ数だけサムネイル表示領域Ｔ内に表示することができる。
【００２８】
さらに、サムネイル画像列の表示中に、ユーザーはその中のいずれかのサムネイル画像を選択する操作を行ってもよい。具体的に、ここではサムネイル画像が横方向に沿って配列されているので、この配列方向に沿ってユーザーは左方向、又は右方向を指示する操作を行う。これに応じて画像列表示制御部２３は、サムネイル表示領域Ｔ内に表示中のサムネイル画像をスクロールさせ、基準位置に表示されるサムネイル画像を順に切り替える。なお、このスクロールに伴って、それまでサムネイル表示領域Ｔ内に表示されていなかったサムネイル画像が順次表示されることになる。これにより、注目動画像の再生開始時点から再生終了時点までの全体にわたって、その途中で表示されるフレーム画像に対応するサムネイル画像をサムネイル表示領域Ｔ内に表示させることができる。ユーザーは、目的とするサムネイル画像が基準位置に表示された状態で、選択完了を指示する操作入力を行う。
【００２９】
サムネイル画像の選択完了をユーザーが指示すると、画像列表示制御部２３はサムネイル画像列の表示を終了し、動画像表示制御部２２はユーザーが選択したサムネイル画像に対応する再生位置（すなわち、当該サムネイル画像に対応するフレーム画像が表示されるタイミング）から注目動画像の再生を再開する。これにより、ユーザーは注目動画像の再生位置を巻き戻ししたり先送りしたりして、所望の再生位置から注目動画像を再生することができる。なお、ユーザーの操作内容に応じて、副表示領域Ｓ内で注目動画像の再生を開始する代わりに、主表示領域Ｍに全体画像として注目動画像を表示させることとしてもよい。こうすれば、ユーザーはそれまで副表示領域Ｓに表示されていた注目動画像を、より大きなサイズで主表示領域Ｍ内に表示させ、かつ、自身が指定した位置からその再生を開始させることができる。
【００３０】
また、図５の例では、サムネイル表示領域Ｔ内にサムネイル画像列と並んでタイムラインバーＴＬが表示されている。タイムラインバーＴＬは、注目動画像の全体の再生時間に対応し、そのうち、現在サムネイル表示領域Ｔ内に表示されているサムネイル画像列に対応する再生位置が強調表示されている。これによりユーザーは、サムネイル表示領域Ｔ内に表示されているサムネイル画像列が注目動画像の全体の再生時間のうちどの時間帯に対応するのかを把握できる。
【００３１】
図６は、図４で例示したように複数の副表示領域Ｓが配置されている状態において、サムネイル画像列を副表示領域Ｓに隣接するように表示する場合の例を示している。図４の例では、複数の副表示領域Ｓが縦方向に沿って並んで配置されている。この場合に画像列表示制御部２３は、ユーザーからの上下方向の指示に応じてサムネイル画像列を表示する対象となる注目動画像を選択してもよい。
【００３２】
具体例として、サムネイル画像列を表示する機能を呼び出す操作に続けて、ユーザーが上方向を指示する操作を操作デバイス１５に対して入力した場合、画像列表示制御部２３は、上側に表示されている注目動画像１から抽出されたフレーム画像を含むサムネイル画像列を表示する。このとき、図６に示すように、サムネイル画像列を副表示領域Ｓ１の上側に隣接する位置に表示する。この場合のサムネイル画像列の表示位置は、副表示領域Ｓ１から見て外周側の位置であり、また、副表示領域Ｓ１から見て副表示領域Ｓ２と反対側の位置でもある。このような位置にサムネイル画像列を表示することで、サムネイル画像列を副表示領域Ｓ１の下側（すなわち、副表示領域Ｓ２側）に表示する場合と比較して、サムネイル画像列が複数の注目動画像のうちどの注目動画像に対応しているか、分かり易くすることができる。逆に、下方向を指示する操作が入力された場合、画像列表示制御部２３は、下側に表示されている注目動画像２から抽出されたフレーム画像を含むサムネイル画像列を表示する。この場合のサムネイル画像列の表示位置は、図５の例と同様、副表示領域Ｓ２の下側に隣接する位置であってよい。
【００３３】
また、ユーザーは、複数の注目動画像のうち、サムネイル画像列を表示する対象となる注目動画像を選択するために、タッチパッド１５ａを使用することとしてもよい。具体的には、主表示領域Ｍ内において選択対象の注目動画像が表示されている位置と対応する、タッチパッド１５ａ内の位置をタッチする操作を行うことで、ユーザーは、複数の注目動画像のうちのいずれかを選択できる。図６の例では、タッチパッド１５ａの検出範囲のうち右上側の領域内をタッチすることで注目動画像１を、右下側の領域内をタッチすることで注目動画像２を、それぞれ選択できる。こうすれば、ユーザーは直感的に注目動画像を選択することができる。なお、選択された注目動画像に対応するサムネイル画像列が表示された状態で、ユーザーがタッチパッド１５ａを用いて左右方向のスライド操作を行った場合、その方向に応じてサムネイル画像列をスクロールさせてもよい。さらに、タッチパッド１５ａ全体を押し込む操作などによって、基準位置に表示されているサムネイル画像の選択を受け付けてもよい。このような制御によれば、サムネイル画像列を表示させる操作、及びサムネイル画像列内のサムネイル画像を選択する操作をタッチパッド１５ａだけで受け付けることができる。そのため、主表示領域Ｍ内に表示されている全体画像に対する操作をボタン１５ｂから受け付ける場合、全体画像に対する操作と注目動画像に対する操作の競合を避けることができる。
【００３４】
次に、サムネイル画像列の表示制御の第２の例として、副表示領域Ｓと重なるサムネイル表示領域Ｔ内にサムネイル画像列を表示する例について、説明する。図７は、この場合の表示例を示している。この図においては、図４で例示した状態から、図６と同様に上側の注目動画像１を選択する操作が行われたものとしている。図７に示すように、この第２の例では、選択された注目動画像１に重なる位置に、サムネイル表示領域Ｔが配置される。これにより、現在表示されているサムネイル画像列が注目動画像１に対応していることが明確となる。このとき、注目動画像１が表示されていた副表示領域Ｓ１はサムネイル表示領域Ｔに隠され、注目動画像１自体は表示されなくなる。
【００３５】
この図の例では、基準位置がサムネイル表示領域Ｔの中心位置で、かつ副表示領域Ｓ１と重なる位置になるようにサムネイル表示領域Ｔが配置されている。換言すると、サムネイル表示領域Ｔが、副表示領域Ｓ１を中心に左右対称の大きさとなるよう配置されている。これにより、それまで注目動画像が表示されていた副表示領域Ｓ１の位置がそのまま基準位置になるので、ユーザーは視線を大きく動かさずそのままサムネイル画像列を確認することができる。
【００３６】
さらに、画像列表示制御部２３は、一つの注目動画像から抽出された複数のサムネイル画像列を並べて表示してもよい。図８は、この場合の表示例を示している。この図の例では、副表示領域Ｓ１と重なるサムネイル表示領域Ｔ内に、上下２段に並べて２個のサムネイル画像列が表示される。この２個のサムネイル画像列は、同じ注目動画像から互いに異なる時間間隔で抽出されたフレーム画像によって構成されている。一例として、上段のサムネイル画像列は注目動画像再生時に５分間隔で表示されるフレーム画像によって構成され、下段のサムネイル画像列は１分間隔で表示されるフレーム画像によって構成されるものとする。ユーザーからスクロールの指示が受け付けられた場合、画像列表示制御部２３は、２個のサムネイル画像列を互いに連動するようにスクロールさせる。すなわち、基準位置において上下に並んで表示されるサムネイル画像が、略同じ再生位置に対応するように両者をスクロールさせる。そのため、時間間隔が短い方のサムネイル画像列は比較的速いスピードでスクロールし、時間間隔が長い方のサムネイル画像列は比較的遅いスピードでスクロールする。こうすれば、必要に応じて時間間隔が短いサムネイル画像列によって注目動画像の詳細を確認できるので、サムネイル画像列を高速でスクロールさせるときにもサムネイル画像列の内容を確認しやすくすることができる。なお、画像列表示制御部２３は、このような２種のサムネイル画像列を常に同時に表示してもよいし、高速のスクロールが指示された場合など、所定条件を満たす操作が行われた場合だけ表示することとし、所定条件を満たすまでは１種のサムネイル画像列だけを表示することとしてもよい。
【００３７】
図７の例では、サムネイル画像列を副表示領域Ｓと重なるサムネイル表示領域Ｔ内に表示する場合に、それまで副表示領域Ｓが表示されていた位置が基準位置になるように、サムネイル表示領域Ｔの配置位置を決定している。しかしながらこれに限らず、画像列表示制御部２３は、基準位置を副表示領域Ｓが表示されていた位置から移動させてもよい。また、これまでの説明では、どの例においても、サムネイル画像はサムネイル表示領域Ｔ内において時系列に沿って左右方向（水平方向）に並んで配置されることとした。しかしながらこれに限らず、サムネイル画像列の配列方向は任意の方向であってよい。
【００３８】
図９は、このようなサムネイル画像列の表示制御の変形例を示す図である。この図の例では、図３に例示した副表示領域Ｓが表示されていた状態においてサムネイル画像列の表示が指示されたものと想定している。この例では、これまでの例と異なり、サムネイル画像は上下方向（垂直方向）に並んで配列されている。
【００３９】
この例では、サムネイル表示領域Ｔは、主表示領域Ｍの上端から下端まで、上下方向に沿って領域全体にまたがって配置されている。さらに、基準位置は副表示領域Ｓが表示されていた位置ではなく、サムネイル表示領域Ｔの略中央（すなわち、主表示領域Ｍの略中央）に設定されている。このように基準位置を副表示領域Ｓの位置から移動させることで、サムネイル画像列の配列方向に沿ったサムネイル表示領域Ｔの長さを長くしながら、基準位置をサムネイル表示領域Ｔの中心に配置することができる。これにより、元々表示されていた注目動画像のサイズと比較してサムネイル画像を縮小させることなく、比較的多くのサムネイル画像を一度に表示させることができる。なお、図中に例示されるように枠線画像Ｆを表示するなどして、基準位置に配置されるフレーム画像を他と識別可能な態様で表示することで、基準位置を副表示領域Ｓから移動させても、ユーザーにどこが基準位置かを知らせることができる。
【００４０】
なお、以上説明した例における特徴事項は、互いに組み合わせて適用されてもよい。例えば第１の例におけるサムネイル表示領域Ｔ内に、２種以上のサムネイル画像列を並べて表示することとしてもよい。また、第２の例におけるサムネイル画像列に対しても、第１の例と同様の操作によってスクロールやサムネイル画像の選択を行うこととしてよい。
【００４１】
以上説明した本実施形態に係る情報処理装置１によれば、全体画像に重ねて注目動画像を副表示領域Ｓに表示させる場合に、その再生位置を変更する指示を受け付けるためのサムネイル画像列を、副表示領域Ｓに応じて決まる位置に表示することで、全体画像の閲覧を妨げにくい態様でサムネイル画像列を表示させることができる。
【００４２】
なお、本発明の実施の形態は、以上説明したものに限られない。以上の説明における副表示領域Ｓやサムネイル表示領域Ｔの配置位置や、ユーザーによる操作の内容は、例示に過ぎず、これ以外のものであってもよい。例えば、以上の説明ではサムネイル表示領域Ｔの配置位置は副表示領域Ｓに隣接する位置又は重なる位置であることとしたが、これに限らず、所定の距離範囲内で離隔した位置などであってもよい。また、サムネイル表示領域Ｔの配置位置は、予め定められた複数の候補位置の中から選択されることとしてもよい。この場合、画像列表示制御部２３は、表示しようとするサムネイル画像列に対応する注目動画像が表示されている位置に応じて、複数の候補位置の中からサムネイル表示領域Ｔの位置を選択する。これにより、注目動画像と対応し、かつ全体画像の閲覧を妨げにくい位置にサムネイル画像列を表示することができる。
【符号の説明】
【００４３】
１  情報処理装置、１１  制御部、１２  記憶部、１３  インタフェース部、１４  表示装置、１５  操作デバイス、２１  全体画像表示制御部、２２  動画像表示制御部、２３  画像列表示制御部。
【図１】
2020095906.tif 000003
【図２】
2020095906.tif 000004
【図３】
2020095906.tif 000005
【図４】
2020095906.tif 000006
【図５】
2020095906.tif 000007
【図６】
2020095906.tif 000008
【図７】
2020095906.tif 000009
【図８】
2020095906.tif 000010
【図９】
2020095906.tif 000011
【国際調査報告】
2020095906.tif 000012
2020095906.tif 000013
2020095906.tif 000014
2020095906.tif 000015
2020095906.tif 000016
2020095906.tif 000017